(57)【要約】背面接触式太陽電池モジュールの背面に設置されている、第一電極を接続するための導電部と第一電極と極性が反対の電界とを確実に絶縁することによって、背面接触式太陽電池モジュールの産業への応用を図ることが可能な太陽電池モジュールを提供する。【解決手段】本発明の太陽電池モジュールは、一方の面に互いに隔離された第一電極と、前記第一電極と極性が反対の第二電極とが配置され、前記面に前記第一電極と極性が反対の電界が形成された太陽電池セルと、前記第一電極を電気的に接続する第一導電部と、前記太陽電池セルの前記面と前記第一導電部との間に配置された絶縁層とを含むことを特徴とする。【選択図】図５
2013542614.tif 000002
【特許請求の範囲】
【請求項１】
一方の面（１１）に、互いに絶縁隔離された第一電極（１１２）と、前記第一電極と極性が反対の第二電極（１１１）とが配置され、前記面に前記第一電極と極性が反対の電界が形成された太陽電池セルと、
前記第一電極を電気的に接続する第一導電部（３２）と、
前記太陽電池セルの前記面（１１）と前記第一導電部（３２）との間に配置された絶縁層（２０）と
を含むことを特徴とする太陽電池モジュール（１００）。
【請求項２】
前記絶縁層は、太陽電池セルの前記面から剥離可能な絶縁リブ（２０）を含むことを特徴とする請求項１に記載の太陽電池モジュール。
【請求項３】
前記絶縁リブは、伸縮性ポリエチレン、熱可塑性エラストマー、ポリフッ化ビニルの複合フィルム、及び、シリコン系材料の少なくとも一つを含むことを特徴とする請求項２に記載の太陽電池モジュール。
【請求項４】
前記絶縁リブ（２０）には貫通孔（２２）が形成され、前記第一導電部（３２）は前記貫通孔を通じて前記第一電極と電気的に接続していることを特徴とする請求項２に記載の太陽電池モジュール。
【請求項５】
前記絶縁リブの一端縁（２５）が、太陽電池セルの前記面の縁部からはみ出していることを特徴とする請求項２に記載の太陽電池モジュール。
【請求項６】
前記絶縁層は、太陽電池セルの前記面に付着された絶縁材料を含むことを特徴とする請求項１に記載の太陽電池モジュール。
【請求項７】
前記絶縁部材は絶縁シリコーンゴムを含むことを特徴とする請求項６に記載の太陽電池モジュール。
【請求項８】
前記第一導電部は、長尺状の基体テープ（３０１）と、基体テープが位置する平面から突出する凸部（３０２）とを含むことを特徴とする請求項４に記載の太陽電池モジュール。
【請求項９】
前記凸部は前記第一電極に対応するように配置され、前記凸部が前記貫通孔を通じて前記第一電極と電気的に接続していることを特徴とする請求項８に記載の太陽電池モジュール。
【請求項１０】
前記第一電極は、前記面（１１）から突出するように配置されていることを特徴とする請求項１に記載の太陽電池モジュール。
【請求項１１】
前記第二電極を電気的に接続する複数の第二導電部をさらに含むことを特徴とする請求項１に記載の太陽電池モジュール。
【請求項１２】
前記第一電極は矩形状を呈することを特徴とする請求項１〜１１のいずれか一項に記載の太陽電池モジュール。
【請求項１３】
前記複数の第二導電部を接続するための接続導電部をさらに含むことを特徴とする請求項１１に記載の太陽電池モジュール。
【請求項１４】
前記第一電極は負電極であり、前記第二電極は正電極であり、前記電界は正電界であることを特徴とする請求項１に記載の太陽電池モジュール。
【請求項１５】
前記第一電極は正電極であり、前記第二電極は負電極であり、前記電界は負電界であることを特徴とする請求項１に記載の太陽電池モジュール。
【請求項１６】
それぞれ、光を取り入れるための正面と、前記正面とは反対側の背面（１１）とを含み、かつ前記背面に、第一電極（１１２）と、第一電極と極性が反対の第二電極（１１１）と、前記第一電極と極性が反対の電界とが形成された、第一太陽電池セル（１０１）及び第一太陽電池セルに隣接する第二太陽電池セル（１０２）と、
前記第一電極を電気的に接続する第一導電部（３２）と、
前記第二電極を電気的に接続する第二導電部（３１）と、
前記第一太陽電池セル及び第二太陽電池セルの背面（１１）と前記第一導電部（３２）との間に配置された絶縁層（２０）と、
前記第一太陽電池セルの第二導電部と第二太陽電池セルの第一導電部とを電気的に接続する接続導電部と、
を含むことを特徴とする太陽電池モジュール。
【請求項１７】
前記絶縁層（２０）には前記第一電極に対応する貫通孔（２２）が形成され、前記第一導電部（３２）には前記貫通孔を通じて前記第一電極と電気的に接続する凸部（３０２）が設けられていることを特徴とする請求項１６に記載の太陽電池モジュール。
【請求項１８】
前記接続導電部（３３）は、前記第一太陽電池セル（１０１）の背面に配置され、前記第一太陽電池セルの背面上の第二導電部（３１１）と接続していることを特徴とする請求項１６に記載の太陽電池モジュール。
【請求項１９】
前記接続導電部（３３）は、前記第二太陽電池セル（１０２）の背面に配置され、前記第一太陽電池セルの背面上の第一導電部（３２２）と接続していることを特徴とする請求項１６に記載の太陽電池モジュール。
【請求項２０】
前記接続導電部（３３）と前記第二太陽電池セル（１０２）の背面との間に絶縁層が配置されていることを特徴とする請求項１９に記載の太陽電池モジュール。
【請求項２１】
前記第一電極は負電極であり、前記第二電極は正電極であり、前記電界は正電界であることを特徴とする請求項１６に記載の太陽電池モジュール。
【請求項２２】
前記第一電極は正電極であり、前記第二電極は負電極であり、前記電界は負電界であることを特徴とする請求項１６に記載の太陽電池モジュール。
【請求項２３】
それぞれ、一方の面（１１）に、複数列の第一電極（１１２）と、第一電極と極性が反対の複数列の第二電極（１１１）と、前記第一電極と極性が反対の電界とが配置され、かつ各列の第一電極が複数の第一電極を含む、第一太陽電池セル（１０１）及び第一太陽電池セルに隣接する第二太陽電池セル（１０２）を提供する工程と、
それぞれ各列の第二電極を電気的に接続するための複数の第二導電部（３１）を提供する工程と、
前記第一太陽電池セル及び第二太陽電池セルの背面（１１）上の各列の第一電極の周囲に位置される絶縁層（２０）を提供する工程と、
それぞれ各列の第一電極を電気的に接続するための複数の第一導電部（３２）を提供し、前記絶縁層を前記第一導電部（３２）と前記第一太陽電池セル及び前記第二太陽電池セルの背面（１１）との間に位置させる工程と、
前記第一太陽電池セルの第二導電部と前記第二太陽電池セルの第一導電部とを電気的に接続するための接続導電部（３３）を提供する工程と
を含むことを特徴とする太陽電池モジュールの製造方法。
【請求項２４】
前記第一導電部を提供する工程は、
前記第一導電部に、各列の第一電極に対応する複数の凸部（３０２）を形成する工程と、
前記第一導電部の凸部を各列の第一電極と電気的に接続する工程と
を含むことを特徴とする請求項２３に記載の太陽電池モジュールの製造方法。
【請求項２５】
前記絶縁層（２０）を提供する工程は、
前記第一太陽電池セル及び第二太陽電池セルの前記面の、前記第一導電部に対応し第一電極（１１２）以外の箇所に、絶縁材料を塗布することを含むことを特徴とする請求項２３に記載の太陽電池モジュールの製造方法。
【請求項２６】
前記絶縁層（２０）を提供する工程は、
前記第一太陽電池セル及び第二太陽電池セルの前記面の、前記第一導電部に対応する箇所に、予め各列の第一電極に対応する貫通孔（２２）が形成された絶縁リブ（２０）を設けることを含むことを特徴とする請求項２３に記載の太陽電池モジュールの製造方法。
【発明の詳細な説明】
【技術分野】
【０００１】
本発明は、太陽電池モジュール及びその製造方法に関し、より具体的には、背面接触式太陽電池及びその製造方法に関する。
【背景技術】
【０００２】
背面接触式太陽電池（「背面電極型太陽電池」ともいう）とは、電池の正電極と負電極がともに電池の背面側に配置されたシリコン太陽電池である。従来のシリコン太陽電池に比べて、電池の正面にメイングリッド線が配置されないので、遮光による損失が低下し、有効採光面積が増加して、太陽電池の効率が向上する。また、電池の正電極と負電極がともに電池の背面側に配置されているため、電池の接続とパッケージングが便利になり、製造のプロセスが簡略化される。また、電池正面のメイングリッド線がなくなったため、電池正面の意匠性が向上する。そのため、背面接触式太陽電池がますます注目され、産業に応用されつつある。
【先行技術文献】
【特許文献】
【０００３】
【特許文献１】ヨーロッパ特許公告第０９８５２３３号明細書
【発明の概要】
【発明が解決しようとする課題】
【０００４】
しかしながら、背面の電界が正電界である場合、背面接触式太陽電池モジュールの製造過程において、従来の電気接続方法で隣り合う電池セルを電気的に直列接続するとき、負電極を接続する電気接続装置は、正電界と接触して、短絡する恐れがあった。一方、背面の電界が負電界であれる場合、従来の電気接続方法で隣り合う電池セルを電気的に直列接続するとき、正電極を接続する電気的な接続装置は、負電界と接触して、短絡する恐れがあった。したがって、背面接触式太陽電池モジュールにおける隣り合う電池セルを直列接続するときに生じる短絡問題をいかに解決するかは、当業者が解決すべき課題である。
【０００５】
本発明は、上述した内容に鑑みてなされたものであり、背面接触式太陽電池モジュールの背面に設置されている、第一電極を接続するための導電部と第一電極と極性が反対の電界とを確実に絶縁することによって、背面接触式太陽電池モジュールの産業への応用を図ることが可能な太陽電池モジュールを提供することを目的とする。
また、本発明は、背面接触式太陽電池モジュールの背面に設置されている、第一電極を接続するための導電部と第一電極と極性が反対の電界とを確実に絶縁することによって、背面接触式太陽電池モジュールの産業への応用を図ることが可能な太陽電池モジュールの製造方法を提供することも目的とする。
【課題を解決するための手段】
【０００６】
本発明の太陽電池モジュールは、一方の面に、互いに隔離された第一電極と、前記第一電極と極性が反対の第二電極とが配置され、前記面に前記第一電極と極性が反対の電界が形成された太陽電池セルと、前記第一電極を電気的に接続する第一導電部と、前記太陽電池セルの前記面と前記第一導電部との間に配置された絶縁層とを含むことを特徴とする。
【０００７】
また、前記絶縁層は、太陽電池セルの前記面から剥離可能な絶縁リブを含むことがより好ましい。
また、前記絶縁リブは、伸縮性ポリエチレン（Ｅｘｐａｎｄａｂｌｅ Ｐｏｌｙｅｔｈｙｌｅｎｅ、ＥＰＥ）、熱可塑性エラストマー（Ｔｈｅｒｍｏｐｌａｓｔｉｃ Ｅｌａｓｔｏｍｅｒ、ＴＰＥ）、ポリフッ化ビニルの複合フィルム（ＴＰＴ）、及び、シリコン系材料の少なくともの一つを含むことがより好ましい。
また、前記絶縁リブには貫通孔が形成され、前記第一導電部は前記貫通孔を通じて前記第一電極に電気的に接続されることがより好ましい。
また、前記絶縁リブの一端縁が、太陽電池セルの前記面の縁部からはみ出していることがより好ましい。
また、前記絶縁層は、太陽電池セルの前記面に付着された絶縁材料を含むことがより好ましい。
また、前記絶縁部材は絶縁シリコーンゴムを含むことがより好ましい。
また、前記第一導電部は、長尺状の基体テープと、基体テープが位置する平面から突出する凸部とを含むことがより好ましい。
また、前記凸部は前記第一電極に対応するように配置され、前記凸部が前記貫通孔を通じて前記第一電極と電気的に接続していることがより好ましい。
また、前記第一電極は、前記面から突出するように配置されていることがより好ましい。
また、前記太陽電池モジュールは、さらに、前記第二電極を電気的に接続する複数の第二導電部を含むことがより好ましい。
また、前記第一電極は矩形状を呈することがより好ましい。
また、前記太陽電池モジュールは、前記複数の第二導電部を接続するための接続導電部をさらに含むことがより好ましい。
また、前記第一電極は負電極であり、前記第二電極は正電極であり、前記電界は正電界であることがより好ましい。
また、前記第一電極は正電極であり、前記第二電極は負電極であり、前記電界は負電界であることがより好ましい。
【０００８】
本発明の太陽電池モジュールは、それぞれ、光を取り入れるための正面と、前記正面とは反対側の背面とを含み、かつ前記背面に、第一電極と、第一電極と極性が反対の第二電極と、前記第一電極と極性が反対の電界とが形成された、第一太陽電池セル及び前記第一太陽電池セルに隣接する第二太陽電池セルと、
前記第一電極を電気的に接続する第一導電部と、
前記第二電極を電気的に接続する第二導電部と、
前記第一太陽電池セル及び第二太陽電池セルの背面と第一導電部との間に配置された絶縁層と、前記第一太陽電池セルの第二導電部と第二太陽電池セルの第一導電部とを電気的に接続するための接続導電部と、を含むことを特徴とする。
【０００９】
また、前記絶縁層には貫通孔が形成され、前記第一導電部には前記貫通孔を通じて前記第一電極と電気的に接続する凸部が設けられていることがより好ましい。
また、前記接続導電部は、前記第一太陽電池セルの背面に配置され、前記第一太陽電池セルの背面上の第二導電部に接続していることがより好ましい。
また、前記接続導電部は、前記第二太陽電池セルの背面に配置され、前記第一太陽電池セルの背面上の第一導電部に接続していることがより好ましい。
また、前記接続導電部と前記第二太陽電池セルの背面との間に絶縁層が配置されていることがより好ましい。
また、前記第一電極は負電極であり、前記第二電極は正電極であり、前記電界は正電界であることがより好ましい。
或いは、前記第一電極は正電極であり、前記第二電極は負電極であり、前記電界は負電界であることがより好ましい。
【００１０】
それぞれ、一方の面に、複数列の第一電極と、第一電極と極性が反対の複数列の第二電極と、前記第一電極と極性が反対の電界とが配置され、かつ各列の第一電極が複数の第一電極を含む、第一太陽電池セル及び第一太陽電池セルに隣接する第二太陽電池セルを提供する工程と、
それぞれ、各列の第二電極を電気的に接続するための複数の第二導電部を提供する工程と、
前記第一太陽電池セル及び第二太陽電池セルの背面上の各列の第一電極の周囲に位置される絶縁層を提供する工程と、
それぞれ、各列の第一電極を電気的に接続するための複数の第一導電部を提供し、前記絶縁層を前記第一導電部と前記第一太陽電池セル及び第二太陽電池セルの背面との間に位置させる工程と、
前記第一太陽電池セルの第二導電部と第二太陽電池セルの第一導電部とを電気的に接続するための接続導電部を提供する工程と
を含むことを特徴とする。
【００１１】
また、前記第一導電部を提供する工程は、前記第一導電部に、各列の第一電極に対応する凸部を形成する工程と、前記第一導電部の凸部を各列の第一電極と電気的に接続する工程とを含むことがより好ましい。
また、前記絶縁層を提供する工程は、前記第一太陽電池セル及び第二太陽電池セルの前記面の、前記第一導電部に対応し第一電極以外の箇所に絶縁材料を塗布することを含むことがより好ましい。
また、前記絶縁層を提供する工程は、前記第一太陽電池セル及び第二太陽電池セルの前記面の、前記第一導電部に対応する箇所に、予め各列の第一電極に対応する貫通孔が形成された絶縁リブを設けることを含むことがより好ましい。
【発明の効果】
【００１２】
従来技術に比べ、本発明は以下の利点を有する。太陽電池セルの背面と第一導電部との間に絶縁層が配置されることによって、第一電極を接続する第一導電部が電池セルの背面の第一電極と極性が反対の電界に接触し短絡することを防止でき、背面接触式太陽電池モジュールの産業への応用に有利である。
【図面の簡単な説明】
【００１３】
【図１】本発明に係る一実施形態の太陽電池セルの背面の平面模式図である。
【図２】本発明に係る一実施形態の負極導電部と太陽電池セルの背面との絶縁のための絶縁リブの平面模式図である。
【図３】図２に示す絶縁リブが図１に示す太陽電池セルの背面に取付けられた平面模式図である。
【図４】本発明に係る一実施形態の太陽電池セルの負極導電部の側面図である。
【図５】図４に示す太陽電池セルの負極導電部が図３に示す太陽電池セルの背面に取付けられた平面模式図である。
【図６】図５に示す太陽電池セルの背面に正極導電部と接続導電部がさらに取付けられた平面模式図である。
【図７】本発明に係る一実施形態の隣り合う二つの太陽電池セルが接続された平面模式図である。
【図８】本発明に係る一実施形態の太陽電池モジュールの断面模式図である。
【図９】本発明に係る一実施形態の隣り合う二つの太陽電池セルが接続され、接続導電部と太陽電池セルの背面との間に絶縁層がさらに配置された平面模式図である。
【発明を実施するための形態】
【００１４】
以下、図１〜図９を参照して、メタル・ラップ・スルー（Ｍｅｔａｌｌｉｚａｔｉｏｎ Ｗｒａｐ Ｔｈｒｏｕｇｈ、ＭＷＴ）型の背面接触式太陽電池を例として、本発明の太陽電池モジュールについて詳しく説明するが、ＭＷＴ型の背面接触式太陽電池に限定されず、他の、メタル・ラップ・アラウンド（Ｍｅｔａｌｌｉｚａｔｉｏｎ Ｗｒａｐ Ａｒｏｕｎｄ、ＭＷＡ）型やエミッタ・ラップ・スルー（Ｅｍｉｔｔｅｒ Ｗｒａｐ Ｔｈｒｏｕｇｈ、ＥＷＴ）型等の背面接触式太陽電池にも適用可能である。
【００１５】
太陽電池モジュールは、光のエネルギーを吸収して、光のエネルギーを電気エネルギーに変換し出力するために用いられ、複数の太陽電池セルを直列的に接続しパッケージングして、マトリックスに整列配置して形成される、採光面積が大きい電池モジュールである。図１は、メタル・ラップ・スルー（ＭＷＴ）型の背面接触式太陽電池セル１０の背面１１を示す。太陽電池セルは、一般的に、二つ又は複数の半導体シートからなり、半導体の材料は、一般的に、シリコン、例えば、単結晶シリコン、多結晶シリコン、非晶質シリコンなどである。太陽電池セルの正面が照射されるとき、電池セルの両端部に反対電荷が生じ堆積し、「光起電圧」が発生し、すなわち、「光起電力効果」である。この光起電力効果により、電池の両端部に起電力が発生することによって、光エネルギーが電気エネルギーに変換される。
【００１６】
ＭＷＴ型の背面接触式太陽電池では、電池セルの正面（図示せず）には、一般的に、光に照射されて発生する光起電電流を収集するために、複数の金属製のグリッド線（図示せず）が平行に配置される。電池の背面１１には正電極１１１と負電極１１２が配置されている。電池の背面にはアルミニウムペーストが印刷されることによって正電界が形成されるため、一定の方法によって負電極を正電極及び正電解と絶縁する必要がある。例えば、図１に示す負電極１１２の周囲には、負電極と周囲の正電界との電気導通を防止するために、絶縁領域（図示せず）も形成されている。この絶縁領域は、レーザーエッチングによって形成されてもよく、他の方法によって形成されてもよい。負電極１１２と正面にある金属製のグリッド線とは電池セルの貫通孔（図示せず）を通じて接続される。前記貫通孔は、レーザ穴あけによって得ることができ、その内表面には金属メッキ層が形成されて、正面の金属製のグリッド線と背面の負電極とを電気導通することによって、金属製のグリッド線により収集された光起電電流が負電極までに伝導される。ＭＷＴ技術は当業者に周知の技術であり、例えば、特許文献１に記載されているため、ここではこれ以上の説明を省略する。
【００１７】
図１に示すように、本実施形態において、電池セルの背面に複数列の正電極１１１と複数列の負電極１１２が交互に配列されている。また、正電極１１１と負電極１１２は、一列に少なくとも二つの互いに離隔するように配置された電極端子をそれぞれ含み、前記電極端子は、矩形状を呈し電池の背面から突出するように配置されている。勿論、当業者は、他の実施形態において、正電極１１１と負電極１１２の形状、数量、配列方式はいずれも設計の要求に応じて変更できることに容易に想到できる。
【００１８】
図２〜図７に示すように、太陽電池セルのほか、太陽電池モジュールは、各列の正電極１１１又は負電極１１２を接続する複数の正極導電部３１及び複数の負極導電部３２と、負極導電部３２と太陽電池セルの背面１１との間に配置された絶縁層と、隣り合う太陽電池セルを電気的に接続するための接続導電部３３とを含む。
【００１９】
図２に示す絶縁層の一実施態様のように、本実施形態において、絶縁層は、太陽電池セル１０の背面１１から剥離可能な絶縁リブ２０であり、絶縁リブ２０は、例えば、伸縮性ポリエチレン（Ｅｘｐａｎｄａｂｌｅ Ｐｏｌｙｅｔｈｙｌｅｎｅ、ＥＰＥ）、熱可塑性エラストマー（Ｔｈｅｒｍｏｐｌａｓｔｉｃ Ｅｌａｓｔｏｍｅｒ、ＴＰＥ）、ポリフッ化ビニルの複合フィルム（ＴＰＴ）、又はシリコン系材料等の絶縁材料で作製される。絶縁リブ２０は長尺状であり、本体２１と、本体２１に形成された各列の負電極１１２と対応した貫通孔２２とを有する。隣り合う貫通孔２２の間隔は、隣り合う負電極１１２の距離に相当し、貫通孔２２は矩形状を呈し負電極１１２の寸法に相当する。なお、本明細書でいう「相当」は、完全に同一である場合を含み、許容範囲内でほぼ同一である場合も含む。例えば、負電極１１２が貫通孔を通じて露出することができれば、隣り合う貫通孔２２の間隔は対応する隣り合う負電極１１２の間隔よりやや大きくてもよく、また、貫通孔２２のサイズは負電極１１２のサイズよりやや小さくてもよい。また、当業者は、貫通孔２２の形状は、負電極１１２と異なっていてもよいことに容易に想到でき、例えば、直径が負電極１１２の矩形状の短辺の長さ以下であれば、円状であってもよい。また、他の実施形態において、絶縁層は、太陽電池セル１０の背面１１に付着した絶縁材料であってもよく、例えば、負電極の周囲に絶縁シリコーンゴムを塗布する方法などによってもよい。このような方法では、同様に、負極導電部３２と太陽電池セル１０の背面１１との間の絶縁を効果的に実現できる。
【００２０】
本実施形態において、正極導電部３１と負極導電部３２は共に、半田テープ３０を用いる。図４に示すように、半田テープ３０は金属ストリップであり、長尺状の基体テープ３０１と、基体テープが位置する平面から突出する複数の凸部３０２とを含む。正極導電部３１又は負極導電部３２に用いられる半田テープ上の凸部３０２の数は前記正電極１１１又は負電極１１２の数に相当し、隣り合う凸部３０２の間隔は隣り合う電極端子の間隔に相当する。凸部３０２は主に、半田テープ３０が太陽電池セル１０の背面１１に配置される時、絶縁層の貫通孔２２を通じて対応する電極端子と固定接続されて電気的に接触するようになり、例えば、本実施形態において、半田付けの接続方式を採用している。凸部３０２は、半田テープ３０と一体化して、例えば、折り曲がり又はプレスによって形成されてよく、また、半田テープに取り付けて、例えば、凸点を半田付けすることによって形成されてもよい。
【００２１】
本実施形態において、予め半田テープ３０を電極端子の矩形状に相当する幅に裁断すると、折り曲がれば凸部が形成されるため、太陽電池モジュールの製造が容易になる。正極導電部３１と太陽電池セル１０の背面１１との間に絶縁層が配置されないため、正極導電部３１は半田テープを折り曲げる必要がなく、つまり、凸部３０２を省略できる。また、他の実施形態において、正極導電部３１を省略してよく、即ち、太陽電池セルの背面１１に長尺状の正電極を直接形成してもよい。また、他の実施形態において、各列の複数の負電極は長尺状であり、即ち、一体化した長尺状の負電極が形成され、この場合、前記絶縁層２０の貫通孔２２も対応する長尺状に形成され、前記基体テープ３０１にも長尺状の貫通孔に対応する長尺状の凸部３０２が１つだけが配置されればよい。本実施形態において、接続導電部３３は、隣接する一方の太陽電池セルの正極導電部３１と他方の太陽電池セルの負極導電部３２とを電気的に接続するものであり、金属ストリップが用いられる。
【００２２】
図３、図５〜図７に示すように、組み合わせるとき、まず、絶縁リブ２０が太陽電池セル１０の背面１１に取付けられ、絶縁リブ２０の貫通孔２２が対応する負電極１１２に対向し、図７に示すように、絶縁リブ２０の一端縁２５が太陽電池セル１０の縁部１１５からはみ出して、さらに隣接する太陽電池セルの背面に辿り着くことができる。そして、負極導電部３２が太陽電池セルの背面１１に接続され、負極導電部の凸部が対応する負電極に半田付けされ、絶縁リブ２０が負極導電部３２と太陽電池セルの背面１１との間に配置され、絶縁リブ２０により負極導電部３２と太陽電池セルの背面１１との幅方向及び縦方向の接触が防止されることにより、負極導電部３２と太陽電池セルの背面１１に形成された正電界とが確実に絶縁される。次に、正極導電部３１が太陽電池セルの背面１１に接続され、正極導電部の凸部が対応する正電極１１１に半田付けされる。当然ながら、他の実施状態において、正極導電部３１と負極導電部３２の太陽電池セルの背面１１への取り付け順番を変えてもよく、また、負極導電部３２が絶縁リブ２０に取付けられてから、負極導電部３２と絶縁リブ２０とがともに太陽電池セルの背面１１に取り付けられてもよい。
【００２３】
図６と図７に示す二つの隣り合う太陽電池セルの接続を参照して説明する。勿論、太陽電池モジュールは、一般的に、十数個又は数十個のこのように接続された太陽電池セルからなるが、以下、隣り合う二つの太陽電池セルを例として説明する。本実施状態において、接続導電部３３は、まず、第一太陽電池セル１０１の背面に配置された複数の正極導電部３１１を電気的に接続し、そして、第二太陽電池セル１０２の背面からはみ出した負極導電部３２２と電気的に接続する。接続導電部３３は、まず、正極導電部３１１と接続するため、接続導電部は太陽電池セルの背面に直接接触でき、絶縁する必要はない。勿論、他の実施状態において、図９に示すように、接続導電部３３は、まず、第二太陽電池セル１０２の負極導電部３２２と接続し、そして、第一太陽電池セル１０１の正極導電部３１１と接続してもよい。ただし、この場合、予め接続導電部３３と第二太陽電池セル１０２の背面との間に絶縁層２９を配置することが必要になる。該絶縁層２９の配置方法は、前記の負極導電部と太陽電池セルの背面との間に配置される絶縁層と同じであってもよく、ここでは説明を省略する。なお、接続導電部は、第一太陽電池セルの背面に配置されてもよく、第二太陽電池セルの背面に配置されてもよい。前記絶縁リブ２０の一端縁２５が第二太陽電池セル１０２の縁部１１５からはみ出して第二太陽電池セル１０１の背面に辿り着くため、太陽電池モジュールの正面から見て、負極導電部３２２が絶縁リブ２０に遮られて見えなくなり、太陽電池モジュールの意匠性が確保される。
【００２４】
図８に示す積層・封止後の太陽電池モジュールの断面模式図を参照する。太陽電池モジュール１００の背面の底部に位置するのは、パッケージングを保護するためのバックシート４０であり、ポリフッ化ビニルの複合フィルム（ＴＰＴ）で作製できる。太陽電池モジュール１００の正面の頂部に位置するのは、光透過性の強化ガラスであり、通常、強化ガラスである。太陽電池モジュール１００の中部に位置するのは、上述の実施形態で言及された、互いに接続された複数の太陽電池セル１０、太陽電池セル１０の背面に配置された絶縁リブ２０及び正極導電部及び負極導電部として用いられる半田テープ３０である。太陽電池セル１０の上下側に、エチレン−酢酸ビニル（ＥＶＡ）等で作製される接着剤がそれぞれ設けられ、接着剤が一定の弾性を有するため、太陽電池セルをつつみ込んで上部の強化ガラスと下部のバックシート４０とを一体化に接着することができる。
【００２５】
本実施形態において説明した太陽電池セルの構造はいずれもｎ＋／ｐ構造であり、即ち、太陽電池セルの正面はｎ型のシリコン材料で作製され、背面はｐ型のシリコン材料で作製される。このような構造の太陽電池セルは、正面に負電界が形成され、背面に正電界が形成されるため、背面にある負電極（背面の電界と極性が反対の電極を第一電極として、第一電極と極性が反対の電極を第二電極とする）及び負極導電部（第一電極の導電部を第一導電部として、第二電極を接続する導電部を第二導電部とする）と、正電界との間を確実に絶縁する必要がある。ｐ＋／ｎ構造の太陽電池セルでは、太陽電池セルの正面はｐ型のシリコン材料で作製され、背面はｎ型のシリコン材料で作製されるため、正面に正電界が形成され、背面に負電界が形成される。本発明はｐ＋／ｎ構造の太陽電池セルにも同様に適用できる。この場合、背面にある正電極（第一電極）及び正極導電部（第一導電部）と、背面の負電界との間を確実に絶縁する必要がある。その絶縁方法は上述の実施形態と同様であり、ここでは説明を省略する。
【００２６】
本発明は、太陽電池セルの背面と第一導電部との間に絶縁層が配置されることにより、第一電極を接続する第一導電部がセル背面の第一電極と極性が反対の電界と接触して短絡することを防止でき、背面接触式太陽電池モジュールの産業への応用の可能性を確保できる。
【００２７】
以上、本発明について最良の実施の形態を参照して詳細に説明したが、実施形態はあくまでも例示的なものであり、これらに限定されない。また上述の説明は、本発明に基づきなしうる細部の修正或は変更など、いずれも本発明の請求の範囲に属するものとする。
【符号の説明】
【００２８】
１０  太陽電池セル
１１  背面
１００  太陽電池モジュール
１０１  第一太陽電池セル
１０２  第二太陽電池セル
１１１  第二電極（正電極）
１１２  第一電極（負電極）
１１５  縁部
２０  絶縁層
２１  本体
２２  貫通孔
２５  一端縁
２９  絶縁層
３０  半田テープ
３１  第二導電部（正極導電部）
３２  第一導電部（負極導電部）
３３  接続導電部
３０１  基体テープ
３０２  凸部
３１１  第二導体導電部
３１２  第一導体導電部
３２１  第二導体導電部
３２２  第一導体導電部
４０  バックシート
【図１】
2013542614.tif 000003
【図２】
2013542614.tif 000004
【図３】
2013542614.tif 000005
【図４】
2013542614.tif 000006
【図５】
2013542614.tif 000007
【図６】
2013542614.tif 000008
【図７】
2013542614.tif 000009
【図８】
2013542614.tif 000010
【図９】
2013542614.tif 000011
【手続補正書】
【提出日】平成25年5月8日(2013.5.8)
【手続補正１】
【補正対象書類名】特許請求の範囲
【補正対象項目名】全文
【補正方法】変更
【補正の内容】
【特許請求の範囲】
【請求項１】
一方の面（１１）に、互いに絶縁隔離された第一電極（１１２）と、前記第一電極と極性が反対の第二電極（１１１）とが配置され、前記面に前記第一電極と極性が反対の電界が形成された太陽電池セル（１０）と、
前記第一電極を電気的に接続する第一導電部（３２）と、
前記太陽電池セルの前記面（１１）と前記第一導電部（３２）との間に配置された絶縁層（２０）とを含むことを特徴とする太陽電池モジュール（１００）。
【請求項２】
前記絶縁層は、太陽電池セルの前記面から剥離可能な絶縁リブ（２０）を含み、前記絶縁リブは、伸縮性ポリエチレン、熱可塑性エラストマー、ポリフッ化ビニルの複合フィルム、及び、シリコン系材料の少なくとも一つを含むことを特徴とする請求項１に記載の太陽電池モジュール。
【請求項３】
前記絶縁リブ（２０）には貫通孔（２２）が形成され、前記第一導電部（３２）は前記貫通孔を通じて前記第一電極と電気的に接続していることを特徴とする請求項２に記載の太陽電池モジュール。
【請求項４】
前記絶縁リブの一端縁（２５）が、太陽電池セルの前記面の縁部からはみ出していることを特徴とする請求項２に記載の太陽電池モジュール。
【請求項５】
前記絶縁層は、太陽電池セルの前記面に付着された絶縁材料を含み、前記絶縁材料は絶縁シリコーンゴムを含み、前記第一電極は、前記面（１１）から突出するように配置されていることを特徴とする請求項１に記載の太陽電池モジュール。
【請求項６】
前記第一導電部は、長尺状の基体テープ（３０１）と、基体テープが位置する平面から突出する凸部（３０２）とを含むことを特徴とする請求項３に記載の太陽電池モジュール。
【請求項７】
前記凸部は前記第一電極に対応するように配置され、前記凸部が前記貫通孔を通じて前記第一電極と電気的に接続していることを特徴とする請求項６に記載の太陽電池モジュール。
【請求項８】
前記第二電極を電気的に接続する複数の第二導電部をさらに含み、前記複数の第二導電部を接続するための接続導電部をさらに含み、前記第一電極は矩形状を呈すことを特徴とする請求項１に記載の太陽電池モジュール。
【請求項９】
それぞれ、光を取り入れるための正面と、前記正面とは反対側の背面（１１）とを含み、かつ前記背面に、第一電極（１１２）と、第一電極と極性が反対の第二電極（１１１）と、前記第一電極と極性が反対の電界とが形成された、第一太陽電池セル（１０１）及び前記第一太陽電池セルに隣接する第二太陽電池セル（１０２）と、
前記第一電極を電気的に接続する第一導電部（３２）と、
前記第二電極を電気的に接続する第二導電部（３１）と、
前記第一太陽電池セル及び第二太陽電池セルの背面（１１）と前記第一導電部（３２）との間に配置された絶縁層（２０）と、
前記第一太陽電池セルの第二導電部と第二太陽電池セルの第一導電部とを電気的に接続する接続導電部（３３）とを含むことを特徴とする太陽電池モジュール。
【請求項１０】
前記絶縁層（２０）には前記第一電極に対応する貫通孔（２２）が形成され、前記第一導電部（３２）には前記貫通孔を通じて前記第一電極と電気的に接続する凸部（３０２）が設けられていることを特徴とする請求項９に記載の太陽電池モジュール。
【請求項１１】
前記接続導電部（３３）は、前記第一太陽電池セル（１０１）の背面に配置され、前記第一太陽電池セルの背面上の第二導電部（３１１）と接続していることを特徴とする請求項９に記載の太陽電池モジュール。
【請求項１２】
前記接続導電部（３３）は、前記第二太陽電池セル（１０２）の背面に配置され、前記第二太陽電池セルの背面上の第一導電部（３２２）と接続し、前記接続導電部（３３）と前記第二太陽電池セル（１０２）の背面との間に絶縁層が配置されていることを特徴とする請求項９に記載の太陽電池モジュール。
【請求項１３】
それぞれ、一方の面（１１）に、複数列の第一電極（１１２）と、第一電極と極性が反対の複数列の第二電極（１１１）と、前記第一電極と極性が反対の電界とが配置され、かつ各列の第一電極が複数の第一電極を含む、第一太陽電池セル（１０１）及び第一太陽電池セルに隣接する第二太陽電池セル（１０２）を提供する工程と、
それぞれ各列の第二電極を電気的に接続するための複数の第二導電部（３１）を提供する工程と、
前記第一太陽電池セル及び第二太陽電池セルの背面（１１）上の各列の第一電極の周囲に位置される絶縁層（２０）を提供する工程と、
それぞれ各列の第一電極を電気的に接続するための複数の第一導電部（３２）を提供し、前記絶縁層を前記第一導電部（３２）と前記第一太陽電池セル及び前記第二太陽電池セルの背面（１１）との間に位置させる工程と、
前記第一太陽電池セルの第二導電部と前記第二太陽電池セルの第一導電部とを電気的に接続するための接続導電部（３３）を提供する工程とを含むことを特徴とする太陽電池モジュールの製造方法。
【請求項１４】
前記第一導電部を提供する工程は、
前記第一導電部に、各列の第一電極に対応する複数の凸部（３０２）を形成する工程と、
前記第一導電部の凸部を各列の第一電極と電気的に接続する工程と
を含むことを特徴とする請求項２３に記載の太陽電池モジュールの製造方法。
【請求項１５】
前記絶縁層（２０）を提供する工程は、
前記第一太陽電池セル及び第二太陽電池セルの前記面の、前記第一導電部に対応し第一電極（１１２）以外の箇所に、絶縁材料を塗布することを含むことを特徴とする請求項２３に記載の太陽電池モジュールの製造方法。
【請求項１６】
前記絶縁層（２０）を提供する工程は、
前記第一太陽電池セル及び第二太陽電池セルの前記面の、前記第一導電部に対応する箇所に、予め各列の第一電極に対応する貫通孔（２２）が形成された絶縁リブ（２０）を設けることを含むことを特徴とする請求項２３に記載の太陽電池モジュールの製造方法。
【国際調査報告】
2013542614.tif 000012
2013542614.tif 000013
2013542614.tif 000014
2013542614.tif 000015
2013542614.tif 000016
2013542614.tif 000017